(57)【要約】【課題】  この発明は、利用者が定期券発売所等に行く手間を省くことができる。またメール配信等のお知らせによって利用者が自動払い戻しを行った事を確認できる。【解決手段】  この発明は、定期券の有効期間内にストライキ等が発生し運休になった日数分の運賃を自動的にＩＣ定期券にチャージさせる機能をもつものであり、利用者情報を基にメール配信等で払い戻した事を通知するものである。【選択図】      図３
2006252442.tif 000002
【特許請求の範囲】
【請求項１】
有効期間と有効区間との定期券情報と金銭的価値が記憶されているＩＣ定期券を扱う定期券処理装置において、
上記ＩＣ定期券から定期券情報を読取る読取手段と、
この読取手段により読取った定期券情報とあらかじめ記憶されている運休が発生した区間と期間とを比較することにより、運休に伴う払い戻しが発生しているか否かを判断する判断手段と、
この判断手段により運休に伴う払い戻しの発生が判断された際に、上記ＩＣ定期券に記憶されている金銭的価値を上記運休に伴う払い戻し金額分、追加更新する処理手段と、
を具備したことを特徴とする定期券処理装置。
【請求項２】
有効期間と有効区間との定期券情報と金銭的価値が記憶されているＩＣ定期券を扱う定期券処理装置において、
上記ＩＣ定期券から定期券情報を読取る読取手段と、
この読取手段により読取った定期券情報とあらかじめ記憶されている運休が発生した区間と期間とを比較することにより、運休に伴う払い戻しが発生しているか否かを判断する判断手段と、
この判断手段により運休に伴う払い戻しの発生が判断された際に、上記ＩＣ定期券に記憶されている金銭的価値を上記運休に伴う払い戻し金額分、追加更新する処理手段と、
この処理手段により上記ＩＣ定期券に記憶されている金銭的価値を更新した際に、あらかじめ記憶されている上記ＩＣ定期券の所持者のメールアドレスに払い戻しの通知を行う通知手段と、
を具備したことを特徴とする定期券処理装置。
【請求項３】
有効期間と有効区間とによる定期券情報が記憶されている無線ＩＣカードを発行する無線ＩＣカード発行機と、無線ＩＣカードの定期券情報により改札処理を行う無線ＩＣカード処理機と、上記各機器と通信回線を介して接続されるホストコンピュータとからなる無線ＩＣカードシステムにおいて、
上記無線カード発行機が、
カード番号と有効期間と有効区間とからなる定期券情報と金銭的価値を記憶する無線ＩＣカードを発行する発行手段と、
この発行手段により発行された無線カードのカード番号と有効期間と有効区間と自動払い戻し機能が有効か否かを示す情報からなる定期券情報と金銭的価値をホストコンピュータに送信する第１の送信手段とを具備し、
上記無線カード処理機が、
上記ＩＣ定期券の定期券情報を読取る読取手段と、
この読取手段により読み取った定期券情報により自動払い戻し機能が有効か否かを判断する第１の判断手段と、
この第１の判断手段により自動払い戻し機能が有効と判断した際に、上記読取手段により読取った定期券情報内の有効期間と有効区間と上記ホストコンピュータから供給される運休が発生した区間と期間とを比較することにより、運休に伴う払い戻しが発生しているか否かを判断する第２の判断手段と、
この第２の判断手段により運休に伴う払い戻しの発生が判断された際に、運休に伴う払い戻し金額を算出する算出手段と、
この算出手段により算出された運休に伴う払い戻し金額を上記無線カードの金銭的価値に加算する加算手段と、
この加算手段による加算結果をカード番号とともにホストコンピュータに送信する第２の送信手段とを具備し、
上記ホストコンピュータが、
上記無線カード発行機から供給される発行された無線カードのカード番号と金銭的価値とを対応して登録する登録手段と、
上記無線カード処理機から供給される金銭的価値を更新された無線カードのカード番号と更新後の金銭的価値に基づいて、上記登録手段により登録されている金銭的価値を更新する更新手段とからなる
ことを特徴とする無線カードシステム。
【請求項４】
有効期間と有効区間とによる定期券情報が記憶されている無線ＩＣカードを発行する無線ＩＣカード発行機と、無線ＩＣカードの定期券情報により改札処理を行う無線ＩＣカード処理機と、上記各機器と通信回線を介して接続されるホストコンピュータとからなる無線ＩＣカードシステムにおいて、
上記無線カード発行機が、
自動払い戻し機能が有効か否かを設定する設定手段と、
カード番号と有効期間と有効区間と上記設定手段により設定される自動払い戻し機能が有効か否かを示す情報からなる定期券情報と金銭的価値を記憶する無線ＩＣカードを発行する発行手段と、
この発行手段により発行された無線カードのカード番号と有効期間と有効区間と上記設定手段により設定される自動払い戻し機能が有効か否かを示す情報からなる定期券情報と金銭的価値をホストコンピュータに送信する第１の送信手段とを具備し、
上記無線カード処理機が、
上記ＩＣ定期券の定期券情報を読取る読取手段と、
この読取手段により読み取った定期券情報により自動払い戻し機能が有効か否かを判断する第１の判断手段と、
この第１の判断手段により自動払い戻し機能が有効と判断した際に、上記読取手段により読取った定期券情報内の有効期間と有効区間と上記ホストコンピュータから供給される運休が発生した区間と期間とを比較することにより、運休に伴う払い戻しが発生しているか否かを判断する第２の判断手段と、
この第２の判断手段により運休に伴う払い戻しの発生が判断された際に、運休に伴う払い戻し金額を算出する算出手段と、
この算出手段により算出された運休に伴う払い戻し金額を上記無線カードの金銭的価値に加算する加算手段と、
この加算手段による加算結果をカード番号とともにホストコンピュータに送信する第２の送信手段とを具備し、
上記ホストコンピュータが、
上記無線カード発行機から供給される発行された無線カードのカード番号と金銭的価値とを対応して登録する登録手段と、
上記無線カード処理機から供給される金銭的価値を更新された無線カードのカード番号と更新後の金銭的価値に基づいて、上記登録手段により登録されている金銭的価値を更新する更新手段とからなる
ことを特徴とする無線カードシステム。
【発明の詳細な説明】
【技術分野】
【０００１】
本発明は、ＩＣ定期券を扱う自動改札機等の定期券処理装置と無線カードシステムに関する。
【背景技術】
【０００２】
従来、交通機関において、事故やストライキなどにより運休が生じていた場合に、払い戻しを行ったり、有効期間の延長を行っている。（特許文献１参照）
この際、定期券処理装置にて、定期券の有効期間を延長させて磁気情報に必要な情報の書き込みを行っていた。
【０００３】
したがって、定期券に必要な磁気情報を書き込みだけで、券面印刷では有効日付の変更を行っておらず、利用者にはわかりにくかった。また、払い戻し処理を定期券処理装置で行う場合、利用者が払い戻しの為に定期券発売所に行かなくてはならなかった。
【特許文献１】特開平８−５５２４６号公報
【発明の開示】
【発明が解決しようとする課題】
【０００４】
この発明は、利用者が定期券発売所等に行く手間を省くことができ、またメール配信等のお知らせによって利用者が自動払い戻しを行った事を確認できることを目的とする。
【課題を解決するための手段】
【０００５】
この発明は、有効期間と有効区間との定期券情報と金銭的価値が記憶されているＩＣ定期券を扱う定期券処理装置において、上記ＩＣ定期券から定期券情報を読取る読取手段と、この読取手段により読取った定期券情報とあらかじめ記憶されている運休が発生した区間と期間とを比較することにより、運休に伴う払い戻しが発生しているか否かを判断する判断手段と、この判断手段により運休に伴う払い戻しの発生が判断された際に、上記ＩＣ定期券に記憶されている金銭的価値を上記運休に伴う払い戻し金額分、追加更新する処理手段とを有するものである。
【０００６】
この発明は、有効期間と有効区間との定期券情報と金銭的価値が記憶されているＩＣ定期券を扱う定期券処理装置において、上記ＩＣ定期券から定期券情報を読取る読取手段と、この読取手段により読取った定期券情報とあらかじめ記憶されている運休が発生した区間と期間とを比較することにより、運休に伴う払い戻しが発生しているか否かを判断する判断手段と、この判断手段により運休に伴う払い戻しの発生が判断された際に、上記ＩＣ定期券に記憶されている金銭的価値を上記運休に伴う払い戻し金額分、追加更新する処理手段と、この処理手段により上記ＩＣ定期券に記憶されている金銭的価値を更新した際に、あらかじめ記憶されている上記ＩＣ定期券の所持者のメールアドレスに払い戻しの通知を行う通知手段とを有するものである。
【０００７】
この発明は、有効期間と有効区間とによる定期券情報が記憶されている無線ＩＣカードを発行する無線ＩＣカード発行機と、無線ＩＣカードの定期券情報により改札処理を行う無線ＩＣカード処理機と、上記各機器と通信回線を介して接続されるホストコンピュータとからなる無線ＩＣカードシステムにおいて、上記無線カード発行機が、カード番号と有効期間と有効区間とからなる定期券情報と金銭的価値を記憶する無線ＩＣカードを発行する発行手段と、この発行手段により発行された無線カードのカード番号と有効期間と有効区間と自動払い戻し機能が有効か否かを示す情報からなる定期券情報と金銭的価値をホストコンピュータに送信する第１の送信手段とを具備し、上記無線カード処理機が、上記ＩＣ定期券の定期券情報を読取る読取手段と、この読取手段により読み取った定期券情報により自動払い戻し機能が有効か否かを判断する第１の判断手段と、この第１の判断手段により自動払い戻し機能が有効と判断した際に、上記読取手段により読取った定期券情報内の有効期間と有効区間と上記ホストコンピュータから供給される運休が発生した区間と期間とを比較することにより、運休に伴う払い戻しが発生しているか否かを判断する第２の判断手段と、この第２の判断手段により運休に伴う払い戻しの発生が判断された際に、運休に伴う払い戻し金額を算出する算出手段と、この算出手段により算出された運休に伴う払い戻し金額を上記無線カードの金銭的価値に加算する加算手段と、この加算手段による加算結果をカード番号とともにホストコンピュータに送信する第２の送信手段とを具備し、上記ホストコンピュータが、上記無線カード発行機から供給される発行された無線カードのカード番号と金銭的価値とを対応して登録する登録手段と、上記無線カード処理機から供給される金銭的価値を更新された無線カードのカード番号と更新後の金銭的価値に基づいて、上記登録手段により登録されている金銭的価値を更新する更新手段とを具備する。
【０００８】
この発明は、有効期間と有効区間とによる定期券情報が記憶されている無線ＩＣカードを発行する無線ＩＣカード発行機と、無線ＩＣカードの定期券情報により改札処理を行う無線ＩＣカード処理機と、上記各機器と通信回線を介して接続されるホストコンピュータとからなる無線ＩＣカードシステムにおいて、上記無線カード発行機が、カード番号と有効期間と有効区間とからなる定期券情報と金銭的価値を記憶する無線ＩＣカードを発行する発行手段と、この発行手段により発行された無線カードのカード番号と有効期間と有効区間と自動払い戻し機能が有効か否かを示す情報からなる定期券情報と金銭的価値をホストコンピュータに送信する第１の送信手段とを具備し、上記無線カード処理機が、上記ＩＣ定期券の定期券情報を読取る読取手段と、この読取手段により読み取った定期券情報により自動払い戻し機能が有効か否かを判断する第１の判断手段と、この第１の判断手段により自動払い戻し機能が有効と判断した際に、上記読取手段により読取った定期券情報内の有効期間と有効区間と上記ホストコンピュータから供給される運休が発生した区間と期間とを比較することにより、運休に伴う払い戻しが発生しているか否かを判断する第２の判断手段と、この第２の判断手段により運休に伴う払い戻しの発生が判断された際に、運休に伴う払い戻し金額を算出する算出手段と、この算出手段により算出された運休に伴う払い戻し金額を上記無線カードの金銭的価値に加算する加算手段と、この加算手段による加算結果をカード番号とともにホストコンピュータに送信する第２の送信手段とを具備し、上記ホストコンピュータが、上記無線カード発行機から供給される発行された無線カードのカード番号と金銭的価値とを対応して登録する登録手段と、上記無線カード処理機から供給される金銭的価値を更新された無線カードのカード番号と更新後の金銭的価値に基づいて、上記登録手段により登録されている金銭的価値を更新する更新手段とを具備する。
【０００９】
この発明は、有効期間と有効区間とによる定期券情報が記憶されている無線ＩＣカードを発行する無線ＩＣカード発行機と、無線ＩＣカードの定期券情報により改札処理を行う無線ＩＣカード処理機と、上記各機器と通信回線を介して接続されるホストコンピュータとからなる無線ＩＣカードシステムにおいて、上記無線カード発行機が、自動払い戻し機能が有効か否かを設定する設定手段と、カード番号と有効期間と有効区間と上記設定手段により設定される自動払い戻し機能が有効か否かを示す情報からなる定期券情報と金銭的価値を記憶する無線ＩＣカードを発行する発行手段と、この発行手段により発行された無線カードのカード番号と有効期間と有効区間と自動払い戻し機能が有効か否かを示す情報からなる定期券情報と金銭的価値をホストコンピュータに送信する第１の送信手段とを具備し、上記無線カード処理機が、上記ＩＣ定期券の定期券情報を読取る読取手段と、この読取手段により読み取った定期券情報により自動払い戻し機能が有効か否かを判断する第１の判断手段と、この第１の判断手段により自動払い戻し機能が有効と判断した際に、上記読取手段により読取った定期券情報内の有効期間と有効区間と上記ホストコンピュータから供給される運休が発生した区間と期間とを比較することにより、運休に伴う払い戻しが発生しているか否かを判断する第２の判断手段と、この第２の判断手段により運休に伴う払い戻しの発生が判断された際に、運休に伴う払い戻し金額を算出する算出手段と、この算出手段により算出された運休に伴う払い戻し金額を上記無線カードの金銭的価値に加算する加算手段と、この加算手段による加算結果をカード番号とともにホストコンピュータに送信する第２の送信手段とを具備し、上記ホストコンピュータが、上記無線カード発行機から供給される発行された無線カードのカード番号と金銭的価値とを対応して登録する登録手段と、上記無線カード処理機から供給される金銭的価値を更新された無線カードのカード番号と更新後の金銭的価値に基づいて、上記登録手段により登録されている金銭的価値を更新する更新手段とを具備する。
【発明の効果】
【００１０】
以上のように、この発明によれば、利用者が定期券発売所等に行く手間を省くことができ、またメール配信等のお知らせによって利用者が自動払い戻しを行った事を確認できる定期券処理装置と定期券処理システムを提供できるものである。
【発明を実施するための最良の形態】
【００１１】
以下、この発明の実施の形態について図面を参照して説明する。
【００１２】
図１、図２は、この発明の実施の形態に係る駅務システムの概略構成を示すものである。
【００１３】
すなわち、駅務システムは、種々の駅務機器を有する複数の駅１、…とホストコンピュータ１０からなり、上記各駅１、…とホストコンピュータ１０は基幹ＬＡＮ等によりオンライン接続されている。
【００１４】
上記各駅１、…は、設置されている駅全体を制御し他の駅１、…とホストコンピュータ１０と上記基幹ＬＡＮ等によりオンライン接続されているデータ受信装置としての駅制御装置２と、この駅制御装置２に回線７を介して直接接続される複数台の自動精算機３、…と、複数台の自動券売機４、…と、複数台の自動改札機５、…と、複数台の自動定期券発売機６、…とから構成されている。
【００１５】
上記自動精算機３、…は、乗車券、回数カード、定期券に対する精算を行い、自動改札機５を通過できる精算券を発行するものであり、この精算機全体を制御する制御部１１とデータ記憶用のメモリ１２と精算の指示を行う操作部１３と精算処理を行い精算券を発行する精算部１４と回線７を介して駅制御装置２と接続される通信制御部１５と現金処理部１６とカード処理部１７から構成されている。操作部１３は、タッチパネル内蔵の液晶表示部（ＬＣＤ）によって構成される表示部１３ａを有している。
【００１６】
上記自動券売機４、…は、券売機用の運賃データに基づいて、乗車券等を発行するものであり、この券売機全体を制御する制御部２１とデータ記憶用のメモリ２２と発券の指示を行う操作部２３と発券処理を行い乗車券を発行する発券部２４と回線７を介して駅制御装置２と接続される通信制御部２５と現金処理部２６とカード処理部２７から構成されている。操作部２３は、タッチパネル内蔵の液晶表示部（ＬＣＤ）によって構成される表示部６４を有している。
【００１７】
上記自動改札機５、…は、乗車券や定期券の投入に伴い入場業務や出場業務の改札処理を行うものであり、この改札機全体を制御する制御部３１とデータ記憶用のメモリ３２と改札処理を行う改札部３３と回線７を介して駅制御装置２と接続される通信制御部３４から構成されている。
【００１８】
上記自動定期券発売機６、…は、新規定期券、継続定期券の発行を行うものであり、この自動定期券発売機全体を制御する制御部４１とデータ記憶用のメモリ４２と発行の指示を行う操作部４３と発行処理を行う発行部４４と回線７を介して駅制御装置２と接続される通信制御部４５から構成されている。操作部４３は、タッチパネル内蔵の液晶表示部（ＬＣＤ）によって構成される表示部４３ａを有している。
【００１９】
上記駅制御装置２は、全体を制御する制御部５１とデータ記憶用のメモリ５２と回線７を介して自動精算機３、…、自動券売機４、…と、自動改札機５、…と、自動定期券発売機６、…と接続される通信制御部５３と基幹ＬＡＮを介してホストコンピュータ１０と接続される通信制御部５４から構成されている。
【００２０】
ホストコンピュータ１０には、利用者管理データベース１０ａが接続され、種々の利用者データが登録されるようになっている。ホストコンピュータ１０には、運休情報管理データベース１０ｂが接続され、事故あるいはストライキ等によって生じた運休の日にちと区間が登録されるようになっている。ホストコンピュータ１０には、インターネット網を介して携帯電話あるいはパーソナルコンピュータ等に接続可能な構成とされ、メールが送れる構成となっている。
【００２１】
上記ホストコンピュータ１０に接続される利用者管理データベース１０ａには、図３に示すように、利用者のＩＣカード番号に対して定期券情報、チャージ金額、自動払い戻し機能情報、メール通知先が対応して記憶されている。
【００２２】
定期券情報としては、区間情報（有効区間）、有効期間、氏名、年齢、性別、電話番号が記憶されている。自動払い戻し機能情報としては、事故やストライキなどで運休した分の払い戻し機能が有効であることを示すフラグと、払い戻し完了フラグ（必要に応じて運休日が対応）が記憶されるようになっている。
【００２３】
まず、無線ＩＣカードの発行処理について、図４に示すフローチャートを用いて説明する。  
まず、利用者は、液晶表示部４３ａにより定期券の新規発行を指示するとともに、有効期間、有効区間、氏名、年齢、性別、電話番号を入力し、さらに自動払い戻し機能の有効を指示し（ＳＴ１）、利用者のメールアドレスを入力する。すると、制御部４１はその内容を発番したＩＣカード番号に基づいてメモリ４２に登録する（ＳＴ２）。
【００２４】
この際、制御部４１は液晶表示部４３ａにより発行する定期券の確認画面を表示し、現金あるいはクレジットカードによる支払い処理を案内する（ＳＴ３）。
【００２５】
この案内に基づき支払い処理が行われた後（ＳＴ４）、制御部４１はカード処理部４７に新規定期券の発行を指示する（ＳＴ５）。これにより、カード処理部４７は無線カードホッパから新規発行用の無線式のＩＣカードを繰り出し、カード処理部４７のリライト印刷部により印刷消去及び印刷処理を行うことにより、新しい情報を印刷する（ＳＴ６）。
【００２６】
この印刷内容は、定期券有効区間・期間・金額・購入者情報、割引内容等である。
【００２７】
この印刷処理が終了すると、制御部４１はカード処理部４７の無線Ｒ／Ｗ部によりＩＣ定期券１００のメモリ１０２にＩＣカード番号、有効期間、有効区間、氏名、年齢、性別、電話番号が記憶され、自動払い戻し機能の有効を示すフラグがオンされて発行される（ＳＴ７）。
【００２８】
また、制御部４１は上記発行内容にメールアドレスを付与した利用者情報を生成し、ホストコンピュータ１０に送信する（ＳＴ８）。
【００２９】
これにより、ホストコンピュータ１０は自動改札機５からの利用者情報を受信し、この利用者情報をＩＣカード番号に対応して利用者管理データベース１０ａに追加登録する（ＳＴ９）。
【００３０】
次に、自動改札機5による自動払い戻し機能（チャージ）について、図５、図６に示すフローチャートを参照しつつ説明する。
【００３１】
まず、所定の駅１の自動改札機５にてＩＣ定期券１００としての無線式ＩＣカードにより入場を行った際（ＳＴ１１）、改札部３３によりこのＩＣ定期券１００の記憶内容（ＩＣ定期券情報、利用者情報）が読取られる（ＳＴ１２）。この読み取り内容により、制御部３１は自動払い戻し機能の有効を示すフラグがオンされているか否かを判断する（ＳＴ１３）。この判断の結果、上記フラグがオンとなっている際に、制御部３１はホストコンピュータ１０（運休情報管理データベース１０ｂから読取った）から供給される運休情報としての運休日と運休路線と、上記ＩＣ定期券１００から読取った有効期間と有効区間とを比較することにより、上記ＩＣ定期券１００への払い戻しの有無を判断する（ＳＴ１４）。
【００３２】
この判断の結果、上記ＩＣ定期券１００への払い戻しがある場合、制御部３１は運休日数と対象となる運休区間とにより払い戻し金額を算出する（ＳＴ１５）。
【００３３】
これにより、制御部３１は払い戻し金額を上記ＩＣ定期券１００のメモリ３２の残額に追加（チャージ）し、二重払い戻しの防止に、払い戻し完了フラグをオンする（ＳＴ１６）。
【００３４】
また、制御部３１はチャージ金額より上記ＩＣ定期券１００のＩＣカード番号を付与した利用者情報を更新する（ＳＴ１７）。さらに、制御部３１は払い戻し金額つまりチャージ金額を表示器（案内表示画面）により表示する（ＳＴ１８）。
【００３５】
さらに、制御部３１は更新した利用者情報をホストコンピュータ１０に送信する（ＳＴ１９）。
【００３６】
これにより、ホストコンピュータ１０は自動改札機５からの利用者情報を受信し（ＳＴ２１）、この利用者情報のＩＣカード番号に対応する利用者管理データベース１０ａの利用者情報を検索する（ＳＴ２２）。ホストコンピュータ１０は検索した利用者情報を上記チャージ金額により更新する。さらにホストコンピュータ１０は上記利用者情報内のメールアドレスに払い戻したことを知らせるメールを送信する（ＳＴ２３）。これにより、インターネットを介して利用者の携帯電話、パーソナルコンピュータ等にメールで通知される。
【００３７】
上記したように、定期券の有効期間内にストライキ等が発生し運休になった日数分の運賃を自動的にＩＣ定期券にチャージさせる機能をもつものであり、利用者情報を基にメール配信等で払い戻した事を通知するものである。
【００３８】
これにより、利用者が定期券発売所等に行く手間を省くことができる。またメール配信等のお知らせによって利用者が自動払い戻しを行った事を確認できる。
【図面の簡単な説明】
【００３９】
【図１】この発明の実施形態を説明するための駅務システムの概略構成を示す図。
【図２】駅務システムの概略構成を示すブロック構成図。
【図３】利用者管理データベースの記憶例を示す図。
【図４】ＩＣ定期券の発行処理を説明するためのフローチャート。
【図５】自動払い戻し処理を説明するためのフローチャート。
【図６】自動払い戻し処理を説明するためのフローチャート。
【符号の説明】
【００４０】
５…自動改札機、６…自動定期券販売機、１０…ホストコンピュータ、１０ａ…利用者管理データベース、３１、４１…制御部、３２、４２…メモリ、１００…ＩＣ定期券。
【図１】
2006252442.tif 000003
【図２】
2006252442.tif 000004
【図３】
2006252442.tif 000005
【図４】
2006252442.tif 000006
【図５】
2006252442.tif 000007
【図６】
2006252442.tif 000008